(57)【特許請求の範囲】
【請求項１】
容器本体と、
容器本体の一端側を開閉する蓋体と、
容器本体内でビン体をその開口部を下にして斜めに支持する支持部と、
浅いトレイ状に形成され、前記蓋体に開閉される開口に近接した前端側が上を向いた斜面とされた前記容器本体の底部と
を有しており、
前記蓋体は、外面を湾曲させることによりある程度深さのあるトレイ状に形成されていると共に、該蓋体の側壁が、前記容器本体の前記開口近傍の側壁内側に対して枢止されることにより、開閉自在に支持されていて、
さらに、前記蓋体が、前記容器本体の開口を閉止した状態において、少なくとも該蓋体の下端部の一部が前記容器本体底部の前端側とオーバーラップするように前記容器本体内に入り込むとともに、
前記蓋体が開かれて、前記容器本体の開口を開放した状態においては、該蓋体の下端部が前記容器本体内にさらに深く入り込む
構成とされている
ことを特徴とするビン体の消毒容器。
【請求項２】
容器本体と、
容器本体の一端側を開閉する蓋体と、
容器本体内でビン体をその開口部を下にして斜めに支持する支持部と
を有しており、
前記蓋体は、外面を湾曲させることによりある程度深さのあるトレイ状に形成されていると共に、該蓋体の側壁が、前記容器本体の前記開口近傍の側壁内側に対して枢止されることにより、開閉自在に支持されていて、
さらに、前記蓋体が、前記容器本体の開口を閉止した状態において、少なくとも該蓋体の下端部の一部が前記容器本体底部の前端側とオーバーラップするように前記容器本体内に入り込むとともに、
前記蓋体が開かれて、前記容器本体の開口を開放した状態においては、該蓋体の下端部が前記容器本体内にさらに深く入り込む
構成とされていて、
さらに、前記容器本体内の前記支持部より下方に着脱自在の水タンクを配置した
ことを特徴とする、ビン体の消毒容器。
【請求項３】
前記支持部は、容器本体に棚状に形成されており、ビン体の開口部を下にして斜めに載置されるように構成したこと
を特徴とする、請求項１または２に記載のビン体の消毒容器。
【請求項４】
前記支持体は、棚状の載置部の奥行き方向の途中に、長さの短いビン体の開口部を掛止するための掛止部を有することを特徴とする、請求項１ないし３のいずれかに記載のビン体の消毒容器。
【請求項５】
前記容器本体の底部近傍に水抜き孔を備えることを特徴とする、請求項１ないし４のいずれかに記載のビン体の消毒容器。
【請求項６】
前記水タンクは，底面が奥行き方向に向かって傾斜して形成されており、前記容器本体の底面に水タンクの底面が沿うように配置されることにより、水タンクの上端側は奥行き方向に下がるように配置されること
を特徴とする、請求項２に記載のビン体の消毒容器。
【請求項７】
前記水タンク内には内部空間を仕切る隔壁が形成されていることを特徴とする、請求項２または６のいずれかに記載のビン体の消毒容器。
【請求項８】
前記水タンクは、上方に開口した開口部を有し、この開口部は水の収容空間に比して大きく構成されていることを特徴とする、請求項２または７のいずれかに記載のビン体の消毒容器。
【発明の詳細な説明】
【０００１】
【発明の属する技術分野】
本発明は、水とビン体を容器本体に収容して、水蒸気により殺菌消毒するようにした消毒容器の改良に関する。
【０００２】
【従来の技術】
従来、哺乳ビン等の特に清潔をこころがける必要があるビン体を消毒する場合には、湯を張った鍋にビン体をいれて煮沸したり、蒸し器にビン体を収容して蒸気消毒したりしていた。
このような手段では、消毒に長時間を要すると共に、消毒後にビン体を清潔に保管する方法を考えなければならず、煩雑であった。
【０００３】
そこで、このようなビン体を消毒する消毒容器として、特開平８−１８７２７４号に開示されたものが知られている。
この消毒容器は、図８及び図９に示すように構成されている。
これらの図において、消毒容器７は、上方が開放された直方体状の容器本体１と、容器本体１の上部開口を開閉するフード状の蓋体２を備えている。容器本体１内には支持体３に形成されたホルダー８，８が設けられ、このホルダー８，８に対して、哺乳ビンＢ１，Ｂ１がその開口を下にして支持されるようになっている。
【０００４】
このように構成された消毒容器１によれば、容器本体１の底部と支持体３の間に注水口５を介して水を注入し、蓋体２を閉めた状態で電子レンジ内に収容する。電子レンジにより加熱すると、容器本体１内の水が水蒸気となって、哺乳ビンＢ１を加熱消毒することになる。
消毒後は、そのまま保管しても、蓋体２を閉めておけば清潔に保てる。また、取り出すときは、図９に示すように蓋体２を開いて、収容されている哺乳ビンＢ１を外に出すことができるようになっている。
さらに、この消毒容器７は、横にすることによって、つまり図９の左側面を下にして、電子レンジの狭い開口からレンジ内に差し入れることができるようになっており、その場合、水は容器本体１の側面４の浅いトレイ状の部分に収容できるようになっている。
【０００５】
【発明が解決しようとする課題】
しかしながら、このような消毒容器７では、図９に示すように蓋体２を開いた時に、蓋体２の内面に付いた水滴が矢印Ａで示すように外部に漏れてしまい、消毒容器７の周囲を濡らしてしまうという問題がある。
また、コンパクトタイプの電子レンジの多くは、その開口が狭いため、従来の消毒容器７は上述のように横にして内部に差し入れる必要がある。ところが電子レンジ内にこのように収容すると、図９における哺乳ビンＢ１は完全に横になってしまい、哺乳ビンＢ１の開口も横を向くことになるので、下から上昇してくる水蒸気がビン内に十分に入りにくい。また、ビンの内側をつたって落下するべき水滴がビン内に溜まってしまい、十分な洗浄ならびに消毒を行うことができないという欠点を有している。
【０００６】
本発明は、以上の点を解決するためになされたもので、開口部の小さな電子レンジに収容した場合にも、十分な消毒を行うことができ、しかも、蓋体を開いても、周囲を濡らしてしまうことのない、ビン体の消毒容器を提供することを目的としている。
【０００７】
【課題を解決するための手段】
上記目的は、請求項１の発明によれば、容器本体と、この容器本体の一端側を開閉する蓋体と、容器本体内でビン体をその開口部を下にして斜めに支持する支持部と、浅いトレイ状に形成され、前記蓋体に開閉される開口に近接した前端側が上を向いた斜面とされた前記容器本体の底部とを有しており、前記蓋体は、外面を湾曲させることによりある程度深さのあるトレイ状に形成されていると共に、該蓋体の側壁が、前記容器本体の前記開口近傍の側壁内側に対して枢止されることにより、開閉自在に支持されていて、さらに、前記蓋体が、前記容器本体の開口を閉止した状態において、少なくとも該蓋体の下端部の一部が前記容器本体底部の前端側とオーバーラップするように前記容器本体内に入り込むとともに、前記蓋体が開かれて、前記容器本体の開口を開放した状態においては、該蓋体の下端部が前記容器本体内にさらに深く入り込む構成とされている
ビン体の消毒容器により、達成される。
【０００８】
請求項１の構成によれば、容器本体には、ビン体の支持部が設けられている。この支持部は、ビン体の開口を下にした状態で斜めに支持するようになっているので、容器本体の高さを低く設定できる。このため、開口の高さに制限のある電子レンジであっても、その中に容器本体を無理なく差し入れることができる。
この場合、容器本体内では、消毒されるべきビン体が開口を下にして斜めに支持されているので、上昇してくる水蒸気が十分ビン体内に侵入することができ、ビン体内面に付着した水滴は、その開口から落下する。
また、容器本体の一端側が開閉するようにした蓋体は、開いた状態でも閉じた状態でも、容器本体内に蓋体の下端部が入り込むように構成され、しかも蓋体はある程度の深さを有するトレイ状となっている。このため、蓋体を開いても、この蓋体の内側に付着した水滴は、蓋体の内側に留まり、外部に漏れ出ることがない。
【０００９】
また、上記目的は、請求項２の発明によれば、容器本体と、容器本体の一端側を開閉する蓋体と、容器本体内でビン体をその開口部を下にして斜めに支持する支持部とを有しており、前記蓋体は、外面を湾曲させることによりある程度深さのあるトレイ状に形成されていると共に、該蓋体の側壁が、前記容器本体の前記開口近傍の側壁内側に対して枢止されることにより、開閉自在に支持されていて、さらに、前記蓋体が、前記容器本体の開口を閉止した状態において、少なくとも該蓋体の下端部の一部が前記容器本体底部の前端側とオーバーラップするように前記容器本体内に入り込むとともに、前記蓋体が開かれて、前記容器本体の開口を開放した状態においては、該蓋体の下端部が前記容器本体内にさらに深く入り込む構成とされていて、さらに、前記容器本体内の前記支持部より下方に着脱自在の水タンクを配置した、ビン体の消毒容器により、達成される。
【００１０】
上記請求項２の発明によれば、請求項１の発明が有する作用に加えて、次のような作用を発揮する。
すなわち、容器本体には、ビン体を支持する支持部より下方に水タンクが配置される。この水タンクは着脱自在に構成されているから、蒸気消毒に先立って、水タンクを取り外し、水をいれて容器本体内に収容させることができる。これにより、蒸気消毒に必要な水の補給が容易となり、かつ消毒後は、この水タンクを外して残った水を棄てるだけで、消毒作業毎に清潔な水を簡単に使用でき、使い勝手が向上する。
また消毒後にあっては、上記水タンクが高温の湯を収容保持しているので、トレイ状の底部から熱い湯が外部に容易にこぼれてしまうことがなく、使用者が高温の湯が触れるおそれが減り、安全である。
【００１１】
また、請求項３によれば、前記支持部は、容器本体に棚状に形成されており、ビン体の開口部を下にして斜めに載置されるように構成してもよい。
【００１２】
請求項３の構成によれば、前記支持部は、例えば容器本体内において、棚状の部材を斜めに配置することで実現される。
【００１３】
また、請求項４によれば、前記支持体は、棚状の載置部の奥行き方向の途中に、長さの短いビン体の開口部を掛止するための掛止部を有するように構成してもよい。
【００１４】
この請求項４の構成によれば、支持部が、その奥行き方向の途中に掛止部を備えることにより、長さの短いビン体を斜めに支持することが可能となる。
【００１５】
また、請求項５によれば、前記容器本体の底部近傍に水抜き孔を備えるようにしてもよい。
【００１６】
さらに、請求項６によれば、前記水タンクは，底面が奥行き方向に向かって傾斜して形成されており、前記容器本体の底面に水タンクの底面が沿うように配置されることにより、水タンクの上端側は奥行き方向に下がるように配置されるように構成してもよい。
【００１７】
請求項６の構成によれば、水タンクを容器本体内に水タンクを装着して、蒸気消毒を行った後等に、容器本体を奥行き方向が下になるようにして傾けると、水タンクの上端側が奥行き方向に向かって下がっていることから、内部に収容された水（湯）がタンクから排出され易い。このため、例えば、蒸気水抜き孔を容器本体の奥側に配置すれば、高温の湯を危険なく外部に排出させることができる。
【００１８】
請求項７によれば、前記水タンク内には内部空間を仕切る隔壁が形成されていてもよい。
【００１９】
水タンクが内部空間を仕切る隔壁を有していると、水タンク内に水を収容して容器本体内にセットし、容器本体を運ぶ際等において、水タンク内の水の波立ちを低減することができ、水が溢れにくくなる。
【００２０】
また、請求項８によれば、前記水タンクは、上方に開口した開口部を有し、この開口部は水の収容空間に比して大きく構成されていてもよい。
【００２１】
請求項８の構成のよれば、水タンクの上方に位置するビン体の支持部から、蒸気消毒のさいに滴ってくる水滴を水タンク内の回収しやすくなる。
【００２２】
【発明の実施の形態】
以下、この発明の好適な実施形態を添付図面を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００２３】
図１は、本発明によるビン体の消毒容器の概略斜視図であり、図２はその概略断面図である。
図において、消毒容器１０は、所定の奥行きを有する容器本体１１と、容器本体１１の一端側を開閉する蓋体１２と、容器本体１１内でビン体を支持する支持部１３とを備えている。
【００２４】
上記容器本体１１は、耐熱材料，例えばポリプロピレンやポリカーボネート等により形成されており、電子レンジ内で加熱されても損傷しないようになっている。
容器本体１１は、消毒されるべき哺乳ビン等のビン体を斜めに横にして収容できるように、ビン体の長さに対応して決定された奥行きを有しており、図２に示すように、底部１４は浅いトレイ状とされていて、蒸気消毒のための水を収容できるようになっている。また、底部１４の前端側（図２において左端側）はやや上を向いた斜面になっており、水が外部に漏れないようになっている。容器本体１１の一端側（この実施形態の場合左端側）は、大きく開放されて本体開口１１ａとされている。
【００２５】
この本体開口１１ａは、外部からビン体を差し込んだり、あるいは収容されたビン体を取り出すために十分な大きさを備えている。
さらに、容器本体１１の奥側の底部１４付近には、図２に示すように、水抜き孔１６が設けられ、栓１６ａによって塞がれている。これによって、容器本体１１に収容した水を消毒後に抜くことができるようになっている。
尚、容器本体１１の図１及び図２のおいて上面部及び／又は下面部に、着脱自在の脚部を設けて、縦方向に支持することができるようにしてもよい。このようにすると、消毒後に、脚部を使って、限られた面積の場所に消毒容器１０を立てておくことができる。
【００２６】
蓋体１２は、耐熱材料で形成されており、図２に示すように、本体開口１１ａを完全に覆うことができる大きさを備えていて、外面１２ａを湾曲させることにより、ある程度の深さを備えるトレイ状に形成されている。
図１に示すように、蓋体１２は本体１１に対して開閉自在に取付けられている。具体的には、例えば、蓋体１２の下端付近は、本体１１の開口１１ａ近傍の側壁１１ｂに対して枢支されている。
つまり、容器本体１１の両側の側壁１１ｂには内方に突出する支軸１１ｃが設けられており、この支軸１１ｂは、蓋体１２の下端付近に設けた穴に入り込んでいる。これにより、図１の矢印に示すように、蓋体１２は、枢軸１１ｃを中心に回動するようにして、開閉されるようになっている。
また、これとは逆に、容器本体１１の両側の側壁１１ｂ側に穴を設け、蓋体１２の下端付近に設けた支軸が、側壁側の穴に入り込むように構成されてもよい。
【００２７】
図２は蓋体１２の開閉の様子を示しており、実線で表されているのは、蓋体１２を閉じた状態、一点鎖線で表されているのは開閉の途中の状態、二点鎖線で表されているのは完全に開いた状態である。
蓋体１２の断面は、図示されているように、ある程度の深さを有する碗状になっており、完全に閉めた状態では、容器本体１１の内部に収容された長いビン体ＬＢの露出部分を収めることができるようになっている。
また、容器本体１１を平らな基準面Ｇ上に載置した状態において、蓋体１２を閉めた時、蓋体１２の下端部の一部１２ｂは、容器本体１１内に入り込むようになっている。これにより、後述するようにして、蒸気消毒を行ったとき、蓋体１２の内面に付着した水滴が下降しても、外部に漏れずに容器本体１１の底部１４に戻るようになっている。尚、蓋体１２を開いたときは、その下端１２ｂは、容器本体１１内に一層深く入り込むから、蓋体１２の内面に付着した水滴が容器本体１１の外側に漏れるおそれは全くない。
したがって、蓋体１２の下端が本体１１内に入りこむ構造としては、上記の他に例えば、本体１１の両側内面にレールを設けて、蓋体１２をスライドさせるようにしてもよく、この場合に、蓋体１２の下端が、少なくとも本体１１の図２において左端部よりも左よりに出ない構成であればよい。本発明において、「蓋体１２の下端が本体１１内に入りこむ」構造とはこのような場合も含むものである。
【００２８】
支持部１３は、本実施形態の場合、容器本体１１内で、長さが異なる複数種類のビン体ＬＢ，ＳＢと、ビン体のキャップＣ１並びに、図示しない人口乳首等を斜めに支持できる構成とされている。
具体的には、支持部１３は、容器本体１１の底部１４上に配置されたベース部１７に載置され、位置決めされるようになっている。即ち、支持部１３は、平らな棚状の載置部としての棚板部１９と、棚板部１９の底部に一体に設けられ、図２に示すように側面から見て上側が奥行きに従って下がる傾斜面となるような略三角形状の脚部１８を備えている。これにより、脚部１８が、ベース部１７上に載ることによって、棚板部１９は奥側（図２において右側）が下がった傾斜棚部となっている。
【００２９】
棚板部１９は、図１に示すように、隔壁２０，２０によって、横方向に複数列（図示の場合三列）に区画されており、それぞれの区画毎に、哺乳ビン等のビン体ＬＢが差し込まれるようになっている。隔壁２０の奥側には、各区画の幅方向の間隔を狭めて内方に突出するようにして形成した固定部２２が設けられている。固定部２２は各区画毎に両側からそれぞれ内方に突出するように形成されている。また、固定部２２の中央には、哺乳ビンの長さ方向に沿って突出する突起部３１が設けられている。
これにより、図２に示されているように、長いビン体ＬＢを差し込むと、ビン体ＬＢはその開口部Ｏを下にして、斜めに支持されるようになっている。このビン体ＬＢの開口部Ｏは、図１の固定部２２の間に挟まれるとともに、開口部Ｏの内側には、突起部３１に嵌入して、固定されるようになっている。
尚、図１に示されているように、奥側に区画の本体１１内壁よりには固定部２２が設けられていないが、隣接する区画よりの固定部２２と突起部３１とにより、ビン体を固定して支持できるようになっている。
【００３０】
支持部１３の棚板部１９の前端側（図２の左端側）には、垂直壁２１が一体に形成されている。垂直壁２１には、図１に示されているように、開口部１１ａに臨んで手前に斜めに延びる棒状の掛け具２３，２３，２３が、複数個（図示の場合三つ）形成されている。
この各掛け具２３に対して、図２に示されているように、ビン体ＬＢのキャップＣ１や人口乳首（図示せず）がその開口部を下にして斜めに掛けることができるようになっている。
【００３１】
さらに、棚板部１９の奥行き方向の途中には、各区画毎に、短いビン体ＳＢの掛止部２５が設けられている。
この掛止部２５は、貫通孔２８と、この貫通孔２８の先端側に形成されている掛止突起２６と、掛止突起２６の両側に形成されたスリット２７，２７とでなっている。
貫通孔２８は、短いビン体ＳＢの開口部の幅よりやや広い幅を有するように形成されている。これにより、図１に示すように短いビン体ＳＢは、開口部は、貫通孔２８のスリット２７，２７に入り込んで、下を向くとともに、ビン体ＳＢの開口の内縁には掛止突起２６が当たることで、ビン体ＳＢは開口を下にして斜めに支持されるようになっている。
尚、支持部１３は、容器品体１１と一体に設けられてもよく、別体に設けられてよい。
【００３２】
本実施形態のビン体の消毒容器１０は以上のように構成されており、次にその使用方法とともに作用を説明する。
ビン体の消毒容器１０の蓋体１２を図２の二点鎖線で示されているように開いて、容器本体１１の底部１４に水を入れる。
次いで、図１の開口部１１ａから、支持部１３の棚板部１９に載せるようにして、消毒されるべきビン体，例えば哺乳瓶を差し入れる。このとき、通常の長さを有するビン体ＬＢは、図２に示すようにして、棚板部１９上の各区画毎に一本または複数本載置される。
あるいは、複数本のビン体のうち、一部が短いビン体ＳＢである場合には、図１に示すように、掛止部２５を利用して、棚板部１９の上に掛止する。
さらに、ビン体のキャップや図示されない人口乳首も同時に消毒しようとする場合には、図１の各掛け具２３に対して、キャップＣ１や人口乳首を図２に示すように掛ける。
【００３３】
次いで、図２に実線で示すように、蓋体１２を閉止し、この状態にて電子レンジ（図示せず）の中へ差し入れる。この時、消毒容器１０は、本体１１内にビン体ＬＢ，ＳＢ等を斜めに収容しているため、全体の高さが低くなり、利用しようとする電子レンジの開口部が狭く、その高さに制限がある場合にも、そのまま差し入れることができる。
【００３４】
続いて、電子レンジのスイッチを入れると、消毒容器１０内のビン体ＬＢ，ＳＢ等は、電子レンジのマイクロ波により発生する熱で消毒される。加えて、このマイクロ波の作用により、消毒容器１０内の水が気化して水蒸気となり上方に立ちのぼる。この上昇した水蒸気は、各ビン体ＬＢ，ＳＢ等の下を向いた開口Ｏから、ビン体内部に侵入し、ビン体の内側を水蒸気消毒するとともに、微細なゴミ等を洗い流すことができる。
【００３５】
この後、各ビン体ＬＢ，ＳＢやキャップＣ１は、斜めに支持されていて、各開口は下を向いていることから、これらの内面に付着した水滴は、下方へ落下し、容器本体１１の底部１４に戻る。したがって、各ビン体の消毒後は消毒容器１０内にて、そのまま水切りが行える。
また、容器本体１１の内側に付着した水滴が各ビン体内に戻ることもないので、完全な消毒が行える。
さらに、容器本体１１の底部１４に溜まった水は、水栓１６ａを外して水抜き孔１６から、外部に出してしまえば、このままの状態で各ビン体を清潔に保管できる。このように消毒容器１０は保管容器としても用いることができる。
【００３６】
また、消毒後、直ぐにビン体ＬＢを用いる場合には、電子レンジによる消毒後に、消毒容器１０を電子レンジから取り出し、図２に鎖線で示すようにして蓋体１２を開くと、大きな開口１１ａから、ビン体ＬＢの底部が露出するので、きわめて取り出し易く、必要なビン体（例えば）ＬＢを取り出せば、そのまま使用できる。この時、蓋体１２の内面に付着した水滴が下降しても、蓋体１２の下端部１２ｂは、容器本体１１内に入り込んでいるから、この水滴が外部に漏れ出ることはない。したがって、消毒容器１０の周囲を濡らすことがない。
【００３７】
このように、本実施形態のビン体の消毒容器１０によれば、開口部の小さなコンパクトタイプの電子レンジにも利用できる。そして、消毒のさいには、容器本体１１内にビン体をその開口部を下にして斜めに支持できるから、上昇する水蒸気が適切にビン体の内部に入り込んで完全な消毒を行える。この際、長さが異なるビン体ＬＢ，ＳＢを同時に消毒でき、キャップＣ１や図示しない人口乳首等も同時に消毒できる。
また、消毒容器１０の蓋体１２を開いたときに、内側に付着している水滴が外部に漏れることがないので、周囲を汚すこと無く利用できる。
さらに、蓋体１２の下端部が本体１１内に深く入り込むことにより蓋体１２が開く構成であるから、消毒容器１０を電子レンジ内にいれたままで蓋体１２を開いても、この蓋体１２は電子レンジの庫内で干渉することなく開く。
同様にして、消毒容器１０は、外部に置かれて保管容器と使用された場合にも、哺乳ビン等をその開口部を下にして斜めに支持した状態で保管でき、この状態で蓋体１２の開閉が支障なくできる。
【００３８】
図３及び図４は本発明の第２の実施形態を示しており、図３は消毒容器４０の概略斜視図、図４は概略断面図である。尚、図３は消毒容器４０のビン体の支持部を取り外してその下の部分の構造を示しており、図４では、ビン体の支持部が装着されている。
図３及び図４において、第１の実施形態を図１及び図２において使用した符号と同一の符号を付した部分は同一の構造であるから重複する説明は省略し、相違点を中心に説明する。
【００３９】
この消毒容器４０にあっては、図３に示すように、容器本体１１内に水タンク５１が着脱自在に配置される。この水タンク５１は図４に示すように、ビン体支持部１３の下に位置するようになっており、これにより、水タンク５１内に収容した水が電子レンジのマイクロ波によって加熱されると、蒸発した蒸気はビン体ＬＢに向かうようになっている。
【００４０】
図５，図６，図７は水タンク５１を示しており、図５はその平面図、図６は図５のＡ−Ａ線断面図、図７は図５のＢ−Ｂ線断面図である。
これらの図に示されているように、水タンク５１は、容器本体１１とは別に独立して構成されており、略直方体状で、上方が開口した開口部５２を有し、内側に水を収容する収容空間Ｓを備えている。水タンク５１は、その底部が図７に示すように傾斜した傾斜底部５３となっており、図７の右方向が高くなるように傾斜した傾斜面を有している。図４に示すように、水タンク５１を容器本体１１内に装着したときは、この高くなった右方向が、容器本体１１内では奥側となる。
【００４１】
さらに、図７において、右側内面（容器本体１１の奥側）は、途中から外側に向かって拡がるように緩く傾斜した傾斜面５４を有しており、図５に示すように、この傾斜面５４は水タンクの上部で外側に突出している。これにより、開口５２は水タンク５１の水収容空間Ｓに比して広くなっている。
また、図５及び図６に示すように、水タンク５１の収容空間Ｓ内にて、垂直に起立する隔壁５７を備えている。この隔壁５７は、水タンク５１の底面部５３からその開口１２よりも低い位置まで垂直に延びており、収容空間を図５に示すように左右にほぼ二分していて、奥側（図５では上側）は、各区分した空間は連通している。このように構成することにより、水タンク５１に水を入れる場合に、区分された各収容空間内の水位が常に一定になるようにされている。
さらに、水タンク５１は、図５及び図７に示すように、蒸気傾斜面５４が形成された端部と反対側端部に、把手５５を備えている。
【００４２】
このように構成された水タンク５１は、図３に示すように、蓋体１２を開いて、把手５５を手前側にして、容器本体１１の内側に載置される。
この状態にて、図４に示すように、容器本体１１の底部に形成したベース部４１の左端側が、水タンク５１の図において左側壁面（奥側壁面）５６に当接し、奥行き方向の位置決めが行われる。
このようにして、水タンク５１は、消毒容器４０の蓋体１２を開いて、水タンク５１の把手５５を持って容器本体１１内に載置すると、水タンク５１は，図７に示すようにその底面５３が奥行き方向に向かって傾斜して形成されているから、容器本体１１の底面に水タンクの底面５３が沿うように配置されることにより、水タンク５１の開口５２は奥行き方向に下がるように配置されることになる。
したがって、水タンク５１は、消毒容器４０の蓋体１２を開いて、容器本体１１内に差し入れるだけで、上記のような配置に簡単に着脱される。
【００４３】
本実施形態の消毒容器４０は以上のように構成されており、次にその使用方法ならびに作用を第１の実施形態との相違点を中心に説明する。
ビン体の消毒容器４０の蓋体１２を図４の二点鎖線で示されているように開いて、水を満たした水タンク５１を図３に示すように容器本体１１内にセットする。この場合、水タンク５１は、その収容空間Ｓ内に隔壁５７を有しているので、水タンク５７を運ぶときに、収容した水の波立ちが抑えられ、溢れにくい。
次いで、図３の開口部１１ａから、図４の支持部１３を水タンク５１の上にセットし、支持部１３の棚板部１９に載せるようにして、消毒されるべきビン体，例えば哺乳瓶等を差し入れる。この支持部１３にビン体や人口乳首等をセットする点は第１の実施形態の場合と同じである。
【００４４】
次いで、図４に実線で示すように、蓋体１２を閉止し、この状態にて電子レンジ（図示せず）の中へ差し入れ、電子レンジのスイッチを入れると、消毒容器４０内のビン体ＬＢ，ＳＢ等は、電子レンジのマイクロ波により発生する熱で消毒される。加えて、このマイクロ波の作用により、水タンク５１に収容された水が気化して水蒸気となり上方に立ちのぼる。この上昇した水蒸気は、上方にある支持部１３にセットされた各ビン体ＬＢ，ＳＢ等の下を向いた開口Ｏから、ビン体内部に侵入し、ビン体の内側を水蒸気消毒するとともに、微細なゴミ等を洗い流すことができる。
【００４５】
この後、各ビン体ＬＢ，ＳＢやキャップＣ１は、斜めに支持されていて、各開口は下を向いていることから、これらの内面に付着した水滴は、下方へ落下し、その大部分は、水タンク５１の大きな開口５２から収容空間Ｓ内に戻る。
したがって、第１の実施形態の消毒容器１０と比較すると、気化した水が再び水滴化した高温の温水を、水タンク５１にて大部分回収できることから、容器本体１１内の底部に高温の温水が溜まることは殆どなく、取り扱いが楽で安全である。
また、容器本体１１の内側に付着した水滴が各ビン体内に戻ることもないので、完全な消毒が行える。
【００４６】
さらに、水タンク５１の収容空間Ｓ内に溜まった水は、容器本体１１の奥側，すなわち、図４の右側を下にして容器４０を傾ければ、水タンク５１の開口５２は、奥側が下がっているから、容器本体１１の奥側に向かって流れ出る。この時、水タンク５１の開口５２には、傾斜面５４が連続しているから、収容空間Ｓ内の水は、この傾斜面５４に導かれて、奥側に流出しやすい。したがって、上記消毒後の高温の温水に使用者が誤って触れてしまうことなく、安全に棄てることができる。
一方、容器本体１１の奥側には、水抜き孔１６ａが設けられているから、この高温の温水は、水栓１６ａを外して水抜き孔１６から、容易に外部に棄てることができる。そして、このままの状態で各ビン体を清潔に保管できる。このように消毒容器４０は保管容器としても用いることができる点は第１の実施形態と同じである。
【００４７】
また、また、第１の実施形態と同様に、消毒後、直ぐにビン体ＬＢを用いる場合には、電子レンジによる消毒後に、消毒容器４０を電子レンジから取り出し、図４に鎖線で示すようにして蓋体１２を開くと、大きな開口１１ａから、ビン体ＬＢの底部が露出するので、きわめて取り出し易く、必要なビン体（例えば）ＬＢを取り出せば、そのまま使用できる。この時、蓋体１２の内面に付着した水滴が下降しても、蓋体１２の下端部１２ｂは、容器本体１１内に入り込んでいるから、この水滴が外部に漏れ出ることはない。したがって、消毒容器４０の周囲を濡らすことがない。
【００４８】
このように、本実施形態のビン体の消毒容器４０によれば、第１の実施形態の消毒容器１０と同様に、開口部の小さなコンパクトタイプの電子レンジにも利用できる。そして、消毒のさいには、水蒸気が適切にビン体の内部に入り込んで完全な消毒を行える。この際、長さが異なるビン体ＬＢ，ＳＢを同時に消毒でき、キャップＣ１や図示しない人口乳首等も同時に消毒できる点の第１の実施形態の消毒容器１０と同じである。
そして、第１の実施形態の効果に加えて、水タンク５１を備え、消毒後の高温の温水を安全に外部に排出することができるという効果を備えている。
【００４９】
尚、上述の各実施形態では、棚板部１９を三つに区画して、三本のビン体ＬＢを同時に消毒できるようにしているが、このような区画を設けなくてもよく、一本だけ消毒する場合には、その分容器本体１１をコンパクトに形成できる。
また、棚板部１９を三つ以上の区画してさらに多数のビン体を一度に消毒できるようにしてもよい。
さらに、容器本体の図１，図２において上面側に水の注入口を設けてもよい。このようにすると、蓋体１２を閉めた状態で上から水を注入することが可能となる。
【００５０】
【発明の効果】
以上述べたように、本発明によれば、開口部の小さな電子レンジに収容した場合にも、十分な消毒を行うことができ、しかも、蓋体を開いても、周囲を濡らしてしまうことのない、ビン体の消毒容器を提供することができる。
【図面の簡単な説明】
【図１】本発明によるビン体の消毒容器の一実施形態を示す概略斜視図である。
【図２】図１のビン体の消毒容器の概略断面図である。
【図３】本発明によるビン体の消毒容器の第二の実施形態を示す概略斜視図である。
【図４】図３のビン体の消毒容器の概略断面図である。
【図５】図４の消毒容器にセットされる水タンクの概略平面図である。
【図６】図４の消毒容器にセットされる水タンクのＡ−Ａ線に沿った概略断面図である。
【図７】図４の消毒容器にセットされる水タンクのＢ−Ｂ線に沿った概略断面図である。
【図８】従来の哺乳ビンの消毒容器の概略構成を示す斜視図である。
【図９】図７の消毒容器の概略断面図である。
【符号の説明】
１０，４０・・・ビン体の消毒容器、１１・・・容器本体、１２・・・蓋体、１２ｂ・・・下端部、１３・・・支持部、１４・・・底部、１６・・・水抜き孔、１７・・・ベース部、１８・・・脚部、１９・・・棚板部、２０・・・隔壁部、２２・・・固定部、２３・・・掛け具、２５・・・掛止部、ＬＢ，ＳＢ・・・ビン体、Ｃ１・・・キャップ、５１・・・水タンク、５２・・・開口、５３・・・底部、５４・・・傾斜面、５５・・・把手、５７・・・隔壁。
【図１】
0003934219.tif 000002
【図２】
0003934219.tif 000003
【図３】
0003934219.tif 000004
【図４】
0003934219.tif 000005
【図５】
0003934219.tif 000006
【図６】
0003934219.tif 000007
【図７】
0003934219.tif 000008
【図８】
0003934219.tif 000009
【図９】
0003934219.tif 000010